(57)【要約】【課題】  本体と扉体とをスライド蝶番によって軸支するにあたり、該スライド蝶番を簡単に装着し得るスライド蝶番の取付構造を提供する。【解決手段】  スライド蝶番１３の先端にベース部材３０を設けると共に、該ベース部材に上下に摺動可能なロック部材３１を設け、ベース部材３０にはロック部材３１の上動範囲を規制する弾性体からなる規制部材５６を設けると共に扉体４の荷重を受止める支持部５３を設け、ロック部材３１にはその上部に前方へ突出する鉤片６６を設け、係合部材２９をロック部材３１の鉤片６６に押し当てながら該ロック部材３１を所定位置まで上動させると規制部材５６の弾性により該ロック部材３１が押し下げられて該鉤片６６が該係合部材２９に係止されるようになっている。【選択図】図７
2014101727.tif 000002
【特許請求の範囲】
【請求項１】
本体に設けられたスライド蝶番を扉体に設けられた係合部材に取着するスライド蝶番の取付構造であって、
前記スライド蝶番の先端にベース部材を設けると共に、該ベース部材に上下に摺動可能なロック部材を設け、
前記ベース部材には前記ロック部材の上動範囲を規制する弾性体からなる規制部材を設けると共に前記扉体の荷重を受止める支持部を設け、前記ロック部材にはその上部に前方へ突出する鉤片を設け、
前記係合部材を前記ロック部材の鉤片に押し当てながら該ロック部材を所定位置まで上動させると前記規制部材の弾性により該ロック部材が押し下げられて該鉤片が該係合部材に係止されるようにしたスライド蝶番の取付構造。
【請求項２】
前記ベース部材及び前記ロック部材は、いずれも両端部が互いに対向するようになっていると共に前側が開放するように形成され、該ロック部材は該ベース部材の内側に配置されており、さらに、前記ベース部材の両端部の相対する内面には突起が対向状に設けられ、前記ロック部材の両端部の相対する内面の下縁には互いに向き合うように折曲された折曲片が形成され、且つ該ロック部材の相対する内面から該折曲片に連続するように前記ベース部材の突起が遊嵌される長溝が設けられていることを特徴とする請求項１記載のスライド蝶番の取付構造。
【発明の詳細な説明】
【技術分野】
【０００１】
本発明は、本体と扉体とを連結すると共に扉体を本体から離反させつつ開放させるスライド蝶番の取付構造に関するものである。
【背景技術】
【０００２】
一般に、本体と扉体とを連結すると共に扉体を本体から離反させながら開放させる蝶番として、いわゆるスライド蝶番が広く知られている。例えば、特許文献１に示されているスライド蝶番は、弾球遊技機の前面枠１２にガラス扉枠３０を開閉自在に連結するもので、前面枠１２側に固着する支持枠接続部材５１とガラス扉枠３０側に固着する開閉枠接続部材５４の間に複数の接続アーム部材５２，５３，５４，５５からなるリンク機構を設けて構成されている。
【先行技術文献】
【特許文献】
【０００３】
【特許文献１】特開平９−２５３３０２号公報
【発明の概要】
【発明が解決しようとする課題】
【０００４】
ここで、特許文献１に記載されたものを含め、スライド蝶番を本体及び扉体に取付けるにあたっては、スライド蝶番の一方側を本体に螺子等によって固着した後、さらに他方側を扉体に螺子等によって固着する必要があるため、取付作業がきわめて面倒且つ困難であるという問題を有している。特に、パチンコ遊技機にスライド蝶番を装着する場合、パチンコ遊技機の扉体は、それ自体がかなりの重量を有していることから、その作業は、きわめて重労働且つ困難な作業とになる。すなわち、パチンコ遊技機の本体側にスライド蝶番の一方側を螺子止めしてから、扉体側にスライド蝶番の他方側を螺子止めしようとした場合、かなりの重量がある扉体を支えながらの螺子止め作業となるため、当該作業はかなりの重労働となってしまう。
【０００５】
そこで、本発明は、本体に一方側を固着した後、扉体に他方側を簡単に装着できるスライド蝶番の取付構造を提供することを目的としている。
【課題を解決するための手段】
【０００６】
かかる目的を達成するため請求項１に係る発明は、本体に設けられたスライド蝶番を扉体に設けられた係止部材に取着するスライド蝶番の取付構造であって、前記スライド蝶番の先端にベース部材を設けると共に、該ベース部材に上下に摺動可能なロック部材を設け、前記ベース部材には前記ロック部材の上動範囲を規制する弾性体からなる規制部材を設けると共に前記扉体の荷重を受止める支持部を設け、前記ロック部材にはその上部に前方へ突出する鉤片を設け、前記係合部材を前記ロック部材の鉤片に押し当てながら該ロック部材を所定位置まで上動させると前記規制部材の弾性により該ロック部材が押し下げられて該鉤片が該係合部材に係止されるようにしたことを特徴としている。なお、ここにいう「スライド蝶番」とは、複数の回転軸を有し、扉体を開くに従い蝶番の回転軸が曲線を描きながら移動（スライド）するものを意味する。
【０００７】
また、請求項２に係る発明は次の点に特徴を有している。すなわち、前記ベース部材及び前記ロック部材は、いずれも両端部が互いに対向するように折曲され且つ前側が開放するように形成され、該ロック部材は該ベース部材の内側に配置されており、さらに、前記ベース部材の両端部の相対する内面には突起が対向状に設けられ、前記ロック部材の両端部の相対する内面の下縁には互いに向き合うように折曲された折曲片部が形成され、且つ該ロック部材の相対する内面から該折曲片部に連続するように前記ロック部材の突起が遊嵌される長溝が設けられていることを特徴としている。
【発明の効果】
【０００８】
請求項１に係るスライド蝶番の取付構造によれば、予め本体に固着したスライド蝶番に対し、予め扉体に固着された係合部材を押し当ててスライド蝶番のロック部材を所定位置まで上動させるだけで、スライド蝶番と係合部材が結合し本体と扉体とを簡易に軸支することができる。すなわち、これまでのようにスライド蝶番の一方側を本体にネジ止めし、さらに本体に固着された状態のスライド蝶番の他方側を扉体にネジ止めするといった面倒な作業が不要となる。
【０００９】
また、請求項２に係る発明によれば、スライド部材に対し上下に摺動するロック部材を装着するための構造を簡易化することができる。すなわち、ロック部材の両端部の相対する内面の下縁に折曲片部を設けると共に、ロック部材の両端部の相対する内面から折曲片部に連続するように長溝を設けたことから、スライド部材にロック部材を装着する場合、スライド部材の内側にロック部材をセットして、ロック部材の折曲片部にある長溝にスライド部材の突起を挿入させるだけで足りることになる。従って、スライド部材にロック部材を上下に摺動可能に装着するにあたり、リベット等を用いる煩わしさを解消している。
【図面の簡単な説明】
【００１０】
【図１】パチンコ遊技機の正面図。
【図２】本実施形態のスライド蝶番の取付構造をパチンコ遊技機の本体枠と透明板保持枠に適用した場合の斜視図。
【図３】透明板保持枠を閉じた状態でのスライド蝶番の取付構造の横断面図。
【図４】透明板保持枠を開いた状態でのスライド蝶番の取付構造の横断面図。
【図５】本実施形態のスライド蝶番であってロック部材を外した状態を示す斜視図。
【図６】本実施形態のスライド蝶番と係合部材が結合した状態を示す斜視図。
【図７】本実施形態のスライド蝶番と係合部材を結合させる動作を示す縦断面図。
【図８】本実施形態のスライド蝶番と係合部材を結合させる動作を示す縦断面図。
【図９】本実施形態のスライド蝶番と係合部材を結合させる動作を示す縦断面図。
【発明を実施するための形態】
【００１１】
以下、本発明に係る蝶番の取付構造の実施形態を図面に基き説明する。なお、この実施形態では、本発明をパチンコ遊技機に適用した場合を例として説明する。そこで、まず、本発明が適用されるパチンコ遊技機の概略について説明しておく。図１はパチンコ遊技機の正面図、図２はパチンコ遊技機の一部分解斜視図である。
【００１２】
パチンコ遊技機Ｐは、縦長な方形状に枠組み形成された機枠１と、該機枠１の一側に軸支部２ａ，２ｂによって開閉自在に軸着される本体枠３とを備え、さらに該本体枠３の前面に透明板保持枠４と、打球供給皿５を有する前板６と、余剰球受皿７及び反射ハンドル８を有する下板９とが開閉自在に軸着されている。また、本体枠３には、遊技盤１０が装着されている。
【００１３】
前記本体枠３は、上半部にほぼ正方形状の開口部１１が形成され、下半部は板状に形成されていて、当該板状の部分に遊技球を遊技盤１０へと打ち出す打球発射装置（図示しない）が設けられている。また、本体枠３の前面であって本体枠３の正面視左側の上部と中間部に取付凹部１２が形成されており、該取付凹部１２には透明板保持枠４を開閉自在に軸支するためのスライド蝶番１３が固着されている。なお、このスライド蝶番１３については、後に詳しく説明する。他方、本体枠３の裏面であって開口部１１の下端には、後方へ突出させ遊技盤１０を載せるための載置部１４が形成されており、本体枠３の裏面であって開口部１１の左右側には、遊技盤１０の側部を支える縦枠（図示しない）が設けられている。そして、遊技盤１０を本体枠３に装着するにあたっては、遊技盤１０を本体枠３の後方から左右の縦枠内に収まるよう載置部１４に載せて取り付ける。
【００１４】
前記遊技盤１０には、図１に示すように、その前面に発射された遊技球を誘導する内側・外側ガイドレール１５ａ，１５ｂがほぼ円形状に配設され、該内側・外側ガイドレール１５ａ，１５ｂに囲まれた部分が遊技領域１６になっている。そして、該遊技領域１６の中央には、文字、数字などの図柄を変動表示する表示部を備えた可変表示装置１８が装着され、その直下に遊技球が入賞すると図柄を変動させる始動入賞口１９が、さらにその両側には、一般入賞口２０，２０が配設されている。また、始動入賞口１９の下方には、可変表示装置１８の表示部に表示された図柄が停止し、その停止した図柄が特定の図柄（例えば、「７７７」）に揃った場合、一定の条件の下で一度に多くの入賞球が得られる入賞装置２１が装着されている。また、遊技領域１６の最下端には遊技領域１６に打ち込まれた遊技球のうち、いずれの入賞口にも入賞しなかった遊技球をパチンコ遊技機Ｐの外部に排出するためのアウト球口２２が配設されている。
【００１５】
前記透明板保持枠４は、合成樹脂によって成形されており、本体枠３の上半部分を全幅にわたって覆う大きさで且つ周囲に周壁２３を立設した箱状になっている。そして、透明板保持枠４の中央部には、遊技盤１０の遊技領域１６が視認可能な方形状の窓開口２４が開設されている。また、透明板保持枠４の内側には、窓開口２４の上辺部を除く左右側辺部及び下側辺部を囲うようにコ字形に形成された溝枠部材２５が設けられており、該溝枠部材２５に遊技盤１０を透視し得る内外２枚のガラス板２６，２６が上方より挿入嵌合されて保持されている。さらに、透明板保持枠４の内側の一側の上下のそれぞれの位置に前記本体枠３のスライド蝶番１３，１３と対向するように係合部材２９が設けられている。なお、この係合部材２９については、スライド蝶番１３と共に後述する。
【００１６】
次に、本体枠３と透明板保持枠４の軸支構造について説明する。先に述べたとおり、本体枠３の前面であって本体枠３の正面視左側の上部と中間部には取付凹部１２が設けられており、該取付凹部１２にはそれぞれスライド蝶番１３，１３が固着されている。このスライド蝶番１３は、複数のリンクを互いに連結することによって、回転軸を前方に移動させ、本体枠３から透明板保持枠４を離反させつつ開放し得るように構成されている。また、スライド蝶番１３の先端には、ベース部材３０と、ベース部材３０に上下に摺動可能に装着されるロック部材３１とが設けられている。これを図３乃至図６を参照しつつ詳細に説明すると、スライド蝶番１３は、基端側に４つの螺子挿通孔３２が穿設された取付基板３３が設けられ、該取付基板３３には、その一側から直角に突出する平行な一対の支持片３４，３４が形成されている。また、支持片３４，３４の基端部よりの位置には第１リンク３５の基端部が支軸３６によって軸支されており、支持片３４，３４の先端部には第２リンク３７の基端部が支軸３８によって軸支されている。さらに、第２リンク３７の略中間位置に支軸３９によって第３リンク４０の中間が軸支されており、この第３リンク４０は、さらにその基端側が第１リンク３５の先端に支軸４１によって軸支され、先端側がベース部材３０に支軸４２によって軸支されている。また、第２リンク３７の先端側に第４リンク４３の基端部が支軸４４によって軸支され、この第４リンク４３は、その先端側がベース部材３０にも支軸４５によって軸支されている。なお、スライド蝶番１３は、取付基板３３の螺子挿通孔３２にネジを挿通し螺着することにより本体枠３の前面に取付けられている。
【００１７】
前記ベース部材３０は、矩形状の基板５０と、該基板５０の両側縁を前方へ直角に折曲した囲板５１，５１によって平面視コ字型に形成されている。また、基板５０の上下縁には、後方へ直角に折曲した連結片５２，５２が形成されており、これら上下の連結片５２，５２には、前記した第３リンク４０及び第４リンク４３を軸支するための取付用孔５４，５４がそれぞれ穿設されている。さらに、囲板５１，５１のそれぞれの内面には、鉛直線上に並ぶ２つの突起５５，５５がそれぞれ突設されており、また、囲板５１，５１のそれぞれの前側下端には、前方へ突出する支持部５３，５３が設けられている。また、基板５０の上側の連結片５２には、規制部材としての板バネ５６が取付けられている。この板バネ５６は、先端側が湾曲状に折返された押圧部５６ａになっていて、該押圧部５６ａは上側の連結片５２の中央部から前方へ突出するように配置されている。
【００１８】
前記ロック部材３１は、矩形状の主板６０と、該主板６０の両側縁を前方へ直角に折曲した側板６１，６１によって平面視コ字型に形成されていて、ベース部材３０の内側に装着されている。すなわち、ロック部材３１は、ベース部材３０の両囲板５１，５１間に同じ側（前側）が開放するように配置され、配置された状態ではベース部材３０の囲板５１とロック部材３１の側板６１とがほんのわずかな隙間をもって隣接することになる。また、主板６０の上縁略中央部には切欠部６２が形成されていて、該切欠部６２に前方へ突出する受板６３が設けられている。他方、主板６０の下縁略中央部に支持片６４が延設されており、該支持片６４の下側は前方へ折曲されて操作部６５が形成されている。さらに、両側板６１，６１の上端には前方へ突出する下向きの鉤片６６，６６が設けられており、該各鉤片６６の前端面には、その略半分よりも下の部分から下方に進むに従い漸次幅が狭くなるように後方へ傾斜する傾斜面６７が形成されている。また、両側板６１，６１の下端縁は互いに向き合うように内側へ直角に折曲げられた折曲片６８，６８が設けられている。さらに、側板６１，６１のそれぞれの中央部分にはベース部材５０の突起５５，５５を遊嵌するための縦長の長溝６９がそれぞれ穿設されており、この長溝６９の下端は側板６１から折曲片６８に入り込むように連続している。なお、ロック部材３１をベース部材３０に装着するにあたっては、ロック部材３１をベース部材３０の両囲板５１，５１間に上方から下方へと挿入することになるが、このとき、ロック部材３１の両側板６１，６１に形成されている長溝６９，６９にベース部材５０の両囲板５１，５１に形成されている突起５５，５５を遊嵌させる。これにより、ロック部材３１は、ベース部材５０に対し上下に摺動可能となる。
【００１９】
前記係合部材２９は、横長矩形状の係止板部７０と、該係止板部７０の両側に設けられ透明板保持枠４に取着するための螺子孔７１が穿設されている取着部７２，７２とによって形成されている。なお、係合部材２９の係止板部７０は、取着部７２，７２よりも本体側に若干膨出しており、係合部材２９が透明板保持枠４に取着された状態で係止板部７０と透明板保持枠４との間に隙間ができるようになっている。また、両取着部７２，７２の上部には本体枠３側へ突出し前記ベース部材３０の囲板５１，５１を挟みこむための挟持片７３，７３が設けられ、該挟持片７３の先端には、互いに離れる方向へ斜めに折れ曲がる案内部７３ａが形成されている。両挟持片７３，７３の内法は、ベース部材３０の両囲板５１，５１の外側面間の距離と略一致するようになっている。なお、係合部材２９は、取着部７２，７２の螺子挿通孔７１，７１にネジを挿通し螺着することにより透明板保持枠４の後面に取付けられている。
【００２０】
ここで上記のように構成された本実施形態のスライド蝶番１３の開閉動作について説明しておく。まず、図３に示すように、本体枠３に対し透明板保持枠４が閉止された状態において、スライド蝶番１３の第１リンク３５、第２リンク３７、第３リンク４０、及び第４リンク４３はすべて折り畳まれている。そして、この状態から透明板保持枠４を開放させると、折り畳まれている第２リンク３７が時計回り方向へと回転すると共に第３リンク４０及び第４リンク４３が反時計回り方向へと回転する。さらに、第３リンク４０の回転に伴って第１リンク３５が時計回り方向へと回転する。そして、これらリンクが回転することによって支軸３９、支軸４１、支軸４２、支軸４４、及び支軸４５が前方へと移動し、透明板保持枠４を完全に開放すると全てのリンク３５、３７、４０、及び４３が前方に伸長した状態になる。これにより、透明板保持枠４は、その軸支側が本体枠３から離反しながら開放されることになる。一方、開放されている透明板保持枠４を閉止させると、伸長していた各リンクが開放の時とは逆方向に回転すると共に、各支軸が後方へ移動し、再び各リンクが折り畳まれることになる。
【００２１】
次に、図７乃至図９に基づいてスライド蝶番１３を係合部材２９に取り付ける方法について説明する。まず、スライド蝶番１３を本体枠３の取付凹部１２に螺着しておくと共に、係合部材２９を透明板保持枠４の裏面に螺着しておく。そして、図７に示すように透明板保持枠４の係合部材２９と本体枠３のスライド蝶番１３とが互いに対向するように透明板保持枠４を前面枠３の前方にセットする。次いで、透明板保持枠４の係合部材２９を本体枠３のスライド蝶番１３に近づけ、係合部材２９の係止板部７０がロック部材３１の鉤片６６，６６に当るようにする。この状態で、透明板保持枠４を本体枠３側へ押し付けると、ロック部材３１の鉤片６６，６６には傾斜面６７が形成されていることから、図８に示すように鉤片６６，６６が係合部材２９の係止板部７０に沿って持上げられロック部材３１が上動する。この時、ロック部材３１の受板６３は板バネ５６の押圧部５６ａによって下方へと付勢されるが、この付勢に抗してさらに透明板保持枠４を本体枠３側へ押し込むと、ロック部材３１の鉤片６６，６６が係合部材２９の係止板部７０を乗り越えて係止板部７０に嵌り込み、スライド蝶番１３が係合部材２９に取着される。そして、スライド蝶番１３が係合部材２９に取着された後は、図９に示すようにロック部材３１の受板６３が常に板バネ５６の押圧部５６ａによって下方へ付勢されロック部材３１の上動を規制するので、スライド蝶番１３が係合部材２９から外れなくなる。また、スライド蝶番１３と係合部材２９とが結合すると、係合部材２９の係止板部７０の下縁がベース部材３０の支持部５３，５３に支持されることになり、該支持部５３，５３がガラス扉枠４の荷重を受止めることになる。一方、スライド蝶番１３と係合部材２９との結合を解除する場合は、ロック部材３１の主板６０の下端に形成されている操作部６５を掴んで、ロック部材３１を板バネ５６の付勢に抗して持上げた後、透明板保持枠４を手前側に引っ張ればよい。このように、本発明によれば、透明板保持枠４に固着された係合部材２９を本体枠３に固着されたスライド蝶番１３に対向させた後、透明板保持枠４を本体枠３に押し付けるのみで、ワンタッチ的にスライド蝶番１３と係合部材２９とを結合させることができるので、ひいては本体枠３に透明板保持枠４を取付ける作業がきわめて簡易迅速になし得ることになる。また、逆に、本体枠３から透明板保持枠４を取り外す時もロック部材３１の操作部６５を持上げるのみで解除でき、面倒な作業が不要である。
【００２２】
さらに、スライド蝶番１３と係合部材２９とを結合させると、本体枠３に対する透明板保持枠４の横方向へのがたつきを防止することもできる。すなわち、スライド蝶番１３と係合部材２９とを結合させる過程において、係合部材２９の挟持片７３，７３間にベース部材３０の囲い板５１，５１の外側面が嵌り込むことになるが、前記のとおり、係合部材２９の両挟持片７３，７３の内法は、ベース部材３０の両囲板５１，５１の外側面間の距離と略一致するようになっている。そのため、スライド蝶番１３と係合部材２９が結合すると、ベース部材３０の両囲板５１，５１が係合部材２９の両挟持片７３，７３間に嵌り込こむことになるので、本体枠３に対する透明板保持枠４の横方向へ移動が規制され左右へのがたつきが完全に防止されることになる。
【００２３】
なお、前記実施の形態において、ベース部材の例として、矩形状の基板と、該基板の両側縁を前方へ直角に折曲した囲板とによって平面視コ字型に形成したものを示したが、これに限定されるものではない。また、前記実施の形態において、ロック部材の例として、矩形状の主板と、該主板の両側縁を前方へ直角に折曲した側板とによって平面視コ字型に形成したものを示したが、これに限定されるものではない。すなわち、ベース部材及びロック部材は、両端部が互いに対向するようになっていると共に前側が開放するように形成されていればよく、例えば、平面視Ｕ字型であってもよいし、また、互いに対向する板材を杆状の部材で連結するなど種々の構成を採用することができる。
【００２４】
さらに、前記実施の形態において、スライド蝶番の例として、複数のリンクを軸支したリンク機構からなるものを例として示したが、これに限られず、複数の回転軸を有し、扉体を開くに従い蝶番の回転軸が曲線を描きながら移動（スライド）して、扉体の軸支側が本体から離反しながら開放するようにできる蝶番であればよい。
【００２５】
なお、前記実施の形態において、パチンコ遊技機の本体枠にスライド蝶番を、透明板保持枠に係合部材を固着した例を示したが、これに限られず、パチンコ遊技機の機枠を本体としてスライド蝶番を固着し、パチンコ遊技機の本体枠を扉体として係合部材を固着するようにしてもよい。さらに、パチンコ遊技機に限られず、本体と扉体を有する物であれば、種々のものに適用することが可能である。
【符号の説明】
【００２６】
３                  本体枠（本体）
４                  透明板保持枠（扉体）
１３                スライド蝶番
２９                係合部材
３０                ベース部材
３１                ロック部材
５３                支持部
５５                突起
５６                板バネ（規制部材）
６６                鉤片
６８                折曲片
６９                長溝
【図１】
2014101727.tif 000003
【図２】
2014101727.tif 000004
【図３】
2014101727.tif 000005
【図４】
2014101727.tif 000006
【図５】
2014101727.tif 000007
【図６】
2014101727.tif 000008
【図７】
2014101727.tif 000009
【図８】
2014101727.tif 000010
【図９】
2014101727.tif 000011